(57)【要約】【課題】配線の増加を抑えつつ、複数の表示領域を制御すること。【解決手段】表示制御装置は、画像データに基づいて表示制御を行う表示制御装置であって、前記画像データの一部を示す第１画像信号に基づいて、第１の表示制御を行う第１駆動回路と、前記画像データの別の一部を示す第２画像信号に基づいて、第２の表示制御を行う第２駆動回路と、前記第１駆動回路と前記第２駆動回路とに接続され、前記第１駆動回路と前記第２駆動回路の制御に関するタイミングを示す第１信号を伝送する信号線と、を備え、前記第２駆動回路は、前記第２画像信号に基づいて生成した情報を示す第２信号を、前記第１信号に多重して、前記信号線で伝送させる。【選択図】図２
2019113672.tif 000002
【特許請求の範囲】
【請求項１】
画像データに基づいて表示制御を行う表示制御装置であって、
前記画像データの一部を示す第１画像信号に基づいて、第１の表示制御を行う第１駆動回路と、
前記画像データの別の一部を示す第２画像信号に基づいて、第２の表示制御を行う第２駆動回路と、
前記第１駆動回路と前記第２駆動回路とに接続され、前記第１駆動回路と前記第２駆動回路の制御に関するタイミングを示す第１信号を伝送する信号線と、
を備え、
前記第２駆動回路は、前記第２画像信号に基づいて生成した情報を示す第２信号を、前記第１信号に多重して、前記信号線で伝送させる
表示制御装置。
【請求項２】
前記信号線は、前記第１駆動回路と前記第２駆動回路の制御を同期させる同期信号を伝送し、
前記第２駆動回路は、前記同期信号の間に、前記第２信号を伝送させる
請求項１に記載された表示制御装置。
【請求項３】
前記第２駆動回路は、前記表示制御による表示の帰線期間に、前記第２信号を伝送させる
請求項１又は請求項２に記載された表示制御装置。
【請求項４】
前記第１駆動回路は、第１表示領域の表示制御を行い、
前記第２駆動回路は、第２表示領域の表示制御を行い、
前記第２駆動回路は、前記第１信号と、前記第２表示領域の表示制御についての前記第２信号と、を前記信号線で前記第１駆動回路へ伝送する
請求項１から請求項３のいずれか一項に記載された表示制御装置。
【請求項５】
前記第１駆動回路は、前記第１表示領域についての第１画像信号に基づいて生成した情報と、前記第２信号が示す情報であって前記第２表示領域についての第２画像信号に基づいて生成された情報と、に基づいて、制御信号を生成する
請求項４に記載された表示制御装置。
【請求項６】
前記第２駆動回路は、第２表示領域についての第２画像信号の解析結果を示す信号を前記第１駆動回路へ伝送し、
前記第１駆動回路は、前記第１表示領域についての第１画像信号に基づいて生成した情報と、前記信号が示す第２画像信号の解析結果と、に基づいて、前記画像データの全体に基づく表示を制御する前記制御信号を生成する
請求項５に記載された表示制御装置。
【請求項７】
請求項１から請求項６のいずれか一項に記載の表示制御装置を備える表示装置。
【請求項８】
画像データの一部を示す第１画像信号に基づいて、第１の表示制御を行う第１駆動回路と、
前記画像データの別の一部を示す第２画像信号に基づいて、第２の表示制御を行う第２駆動回路と、
前記第１駆動回路と前記第２駆動回路とに接続され、前記第１駆動回路と前記第２駆動回路の制御に関するタイミングを示す第１信号を伝送する信号線と、
を備える表示制御装置における制御方法であって、
前記第２駆動回路は、前記第１画像信号に基づいて生成した情報を示す第２信号を、前記第１信号に多重して、前記信号線で伝送させる
制御方法。
【発明の詳細な説明】
【技術分野】
【０００１】
本発明は、表示制御装置、表示装置、および制御方法に関する。
【背景技術】
【０００２】
近年、薄型ディスプレイが普及している。薄型ディスプレイは、例えば、テレビジョン受像機やスマートフォン等の携帯端末に用いられる。また、薄型ディスプレイには、例えば、液晶ディスプレイ、有機ＥＬ（エレクトロ・ルミネッセンス）ディスプレイ、プラズマディスプレイ等、様々な種類がある。
【０００３】
このようなディスプレイにおいて、複数の駆動回路を用いて、表示制御を行うことがある。例えば、特許文献１には、２つ以上のソースドライバに構成される或るソースドライバが、当該或るソースドライバの解析回路で生成した解析結果を別のソースドライバに出力することが記載されている。
【先行技術文献】
【特許文献】
【０００４】
【特許文献１】国際公開第２０１２／１７６６８６号
【発明の概要】
【発明が解決しようとする課題】
【０００５】
しかしながら、特許文献１においては、複数のソースドライバ間で、解析結果を送受信するため専用の配線が必要になる。しかし、配線を追加する場合、パネル内配線や基板配線が増えるため、パターン設計が困難になることがある。
つまり、配線の増加を抑えつつ、複数の表示領域を制御することが求められている。
【０００６】
本発明は、このような事情に鑑みてなされたもので、配線の増加を抑えつつ、複数の表示領域を制御できる表示制御装置、表示装置、および制御方法を提供する。
【課題を解決するための手段】
【０００７】
この発明は上述した課題を解決するためになされたものであり、本発明の一態様は、画像データに基づいて表示制御を行う表示制御装置であって、前記画像データの一部を示す第１画像信号に基づいて、第１の表示制御を行う第１駆動回路と、前記画像データの別の一部を示す第２画像信号に基づいて、第２の表示制御を行う第２駆動回路と、前記第１駆動回路と前記第２駆動回路とに接続され、前記第１駆動回路と前記第２駆動回路の制御に関するタイミングを示す第１信号を伝送する信号線と、を備え、前記第２駆動回路は、前記第２画像信号に基づいて生成した情報を示す第２信号を、前記第１信号に多重して、前記信号線で伝送させる表示制御装置である。
【０００８】
また、本発明の一態様は、上記表示制御装置において、前記信号線は、前記第１駆動回路と前記第２駆動回路の制御を同期させる同期信号を伝送し、前記第２駆動回路は、前記同期信号の間に、前記第２信号を伝送させる。
【０００９】
また、本発明の一態様は、上記表示制御装置において、前記第２駆動回路は、前記表示制御による表示の帰線期間に、前記第２信号を伝送させる。
【００１０】
また、本発明の一態様は、上記表示制御装置において、前記第１駆動回路は、第１表示領域の表示制御を行い、前記第２駆動回路は、第２表示領域の表示制御を行い、前記第２駆動回路は、前記第１信号と、前記第２表示領域の表示制御についての前記第２信号と、を前記信号線で前記第１駆動回路へ伝送する。
【００１１】
また、本発明の一態様は、上記表示制御装置において、前記第１駆動回路は、前記第１表示領域についての第１画像信号に基づいて生成した情報と、前記第２信号が示す情報であって前記第２表示領域についての第２画像信号に基づいて生成された情報と、に基づいて、制御信号を生成する。
【００１２】
また、本発明の一態様は、上記表示制御装置において、前記第２駆動回路は、第２表示領域についての第２画像信号の解析結果を示す信号を前記第１駆動回路へ伝送し、前記第１駆動回路は、前記第１表示領域についての第１画像信号に基づいて生成した情報と、前記信号が示す第２画像信号の解析結果と、に基づいて、前記画像データの全体に基づく表示を制御する前記制御信号を生成する。
【００１３】
また、本発明の一態様は、上記表示制御装置を備える表示装置である。
【００１４】
また、本発明の一態様は、画像データの一部を示す第１画像信号に基づいて、第１の表示制御を行う第１駆動回路と、前記画像データの別の一部を示す第２画像信号に基づいて、第２の表示制御を行う第２駆動回路と、前記第１駆動回路と前記第２駆動回路とに接続され、前記第１駆動回路と前記第２駆動回路の制御に関するタイミングを示す第１信号を伝送する信号線と、を備える表示制御装置における制御方法であって、前記第２駆動回路は、前記第１画像信号に基づいて生成した情報を示す第２信号を、前記第１信号に多重して、前記信号線で伝送させる制御方法である。
【発明の効果】
【００１５】
この発明によれば、配線の増加を抑えつつ、複数の表示領域を制御できる。
【図面の簡単な説明】
【００１６】
【図１】本発明の第１の実施形態における表示装置の外観を示す概略図である。
【図２】本実施形態における表示装置の構成を示す概略図である。
【図３】本実施形態における同期信号およびパラメータ信号の一例を説明するタイムチャートである。
【図４】本発明の第２の実施形態における表示装置の構成を示す概略図である。
【図５】本実施形態における同期信号およびパラメータ信号の一例を説明するタイムチャートである。
【図６】本発明の第３の実施形態における表示装置の構成を示す概略図である。
【図７】本発明の第４の実施形態における表示装置の構成を示す概略図である。
【図８】本発明の第５の実施形態における表示装置の構成を示す概略図である。
【発明を実施するための形態】
【００１７】
［第１の実施形態］
以下、図面を参照して、本発明の実施の形態について説明する。
図１は、本発明の第１の実施形態における表示装置１の外観を示す概略図である。表示装置１は、例えば、テレビジョン受像機である。ただし、表示装置１は、デジタルサイネージ、ＰＣ（パーソナルコンピュータ）、スマートフォンやタブレットＰＣ、ナビゲーション等、表示を行う電子機器であってもよい。
【００１８】
表示装置１は、複数の表示領域を有し、例えば、複数の表示領域を合わせて１つの表示を行う。図１の例では、表示装置１は、ディスプレイを２つに分割した領域として、第１表示領域Ｈ１と第２表示領域Ｈ２を有する。
なお、表示領域は、ディスプレイを３つ以上に分割した領域であっても良いし、また、縦方向に分割した領域であっても良い。また、表示領域は、分割でなくてもよく、一部の表示領域が重なっていても良いし、表示領域と表示領域の間に空白の領域があっても良い。また、表示領域の少なくとも一部には、画像が表示されていなくても良い。
【００１９】
表示装置１は、映像信号線ｃ１を介して、ビデオ録画機やチューナー等から映像信号を取得する。表示装置１は、映像信号に基づいて各ドライバを駆動する。表示装置１は、例えば、各ソースドライバを駆動し、各ソースドライバに対応する表示領域各々に、画像を表示する。
【００２０】
表示装置１は、複数のソースドライバにおける画像解析結果を基に第１の集積回路（マスター集積回路）で決定した画像パラメータを各集積回路へフィードバックする。これにより、表示装置１は、各集積回路でのパラメータを共有して良好な画像処理を行う。具体的の一例として、表示装置１は、画像に応じた輝度制御（Ｃｏｎｔｅｎｔ  ａｄａｐｔｉｖｅ  ｂｒｉｇｈｔｎｅｓｓ  ｃｏｎｔｒｏｌ：ＣＡＢＣ）を行う。この場合に、表示装置１は、複数のソースドライバで調整したパラメータに基づいて、輝度制御を行う。
このような表示装置１では、各ソースドライバの画像解析結果を第１の集積回路へ入力する信号や、画像パラメータを各集積回路へフィードバックする信号が必要になる。
【００２１】
表示装置１は、複数の集積回路の間において、同期信号を伝送する信号線を用いて、画像信号に基づいて生成した情報（例えば、画像解析パラメータ、又は表示用画像パラメータ）を伝送する。つまり、表示装置１は、画像信号に基づいて生成した情報を、同期信号に多重し、同期信号を伝送する信号線で伝送させる。
これにより、表示装置１は、配線の増加を抑えつつ、複数の表示領域を制御できる。
つまり、複数の集積回路の間では、同期するための同期信号が伝送される配線がある。表示装置１は、この同期信号を伝送する配線に、画像信号に基づいて生成した情報を多重する。したがって、表示装置１は、信号や配線を追加することなく、複数の表示領域を制御でき、良好な画像処理を行うことができる。これにより、表示装置１は、基板や表示パネルのパターン設計が効率よくできるようになる。
【００２２】
図２は、本実施形態における表示装置１の構成を示す概略図である。この図は、表示装置１が液晶ディスプレイである場合の一例である。
この図において、表示装置１は、表示モジュールＭ１、及びバックライトモジュールＭ２を備える。バックライトモジュールＭ２は、表示モジュールＭ１の背面に設置され、表示モジュールＭ１の表示パネル２を照明する。なお、表示装置１は、その他公知の構成を備えても良い。
【００２３】
（表示モジュール）
図２に示すように、表示モジュールＭ１は、表示パネル２、及び制御基板３を備える。表示パネル２は、画素アレイ２２、第１ゲートドライバ２１−１、第２ゲートドライバ２１−２、第１ソースドライバ２３―１、第２ソースドライバ２３―２、第１同期信号線２４―１、及び、第２同期信号線２４―２を備える。制御基板３は、受信部３１、及びバックライト駆動部３２を備える。
【００２４】
＜画素アレイ＞
画素アレイ２２において、各々の画素が、互いに交差するゲート・バスラインとソース・バスラインが交差する位置近傍に配置される。各画素は、隣接するゲート・バスラインとソース・バスラインとに接続される。例えば、表示装置１は、Ｒ（赤）、Ｇ（緑）、Ｂ（青）の３色を原色としてカラー表示を行う。この場合、画素アレイ２２（第１表示領域Ｈ１および第２表示領域Ｈ２）の各画素は、Ｒ、Ｇ、Ｂのサブ画素によって１つの色が表される。
【００２５】
画素アレイ２２は、例えば、アクティブマトリクス基板、対向基板、及び、アクティブマトリクス基板と対向基板との間に設けられた液晶層を備えた基板である。アクティブマトリクス基板は、絶縁基板上に設けられた画素電極および配向膜を有する。対向基板は、別の絶縁基板上に設けられた共通電極および配向膜を有する。なお、アクティブマトリクス基板および対向基板には、偏光板が設けられていてよい。上述した画素は、画素電極によって構成される。表示パネル２は、例えばＶＡモードで動作することができる。
画素アレイ２２、第１ゲートドライバ２１−１、第２ゲートドライバ２１−２、第１ソースドライバ２３−１、及び、第２ソースドライバ２３−２は、例えば、同一基板上に形成されている。また、第１ゲートドライバ２１−１、第２ゲートドライバ２１−２はそれぞれ、表示パネル２の内部であって、画素アレイ２２の外側の領域に形成されている。
【００２６】
表示モジュールＭ１が含む表示パネル２は、複数の表示領域（第１表示領域Ｈ１および第２表示領域Ｈ２）に分割されている。ここで、表示パネル２は、構造的に表示パネルが分割されていないものであるが、本発明はこれに限らず、構造的に表示パネルが分割されているものであってもよい。
【００２７】
＜ソースドライバ＞
図２の例では、画像アレイ２２のソース・バスラインは、複数のグループに分けられている。それぞれのグループのソース・バスラインに対して、異なるソースドライバが対応付けられ、接続されている。これにより、第１ソースドライバ２３―１は、第１表示領域Ｈ１に対応付けられ、第１表示領域Ｈ１の表示制御を行う。第２ソースドライバ２３―２は、第２表示領域Ｈ２に対応づけられ、第１表示領域Ｈ１の表示制御を行う。
なお、第１ソースドライバ２３―１又は第２ソースドライバ２３―２を総称して、第１ソースドライバ２３と称する。
【００２８】
具体的には、第１表示領域Ｈ１のソース・バスライン（「第１のソース・バスライン」とも称する）の全ては、第１ソースドライバ２３―１に接続されている。第１のソース・バスラインの各々は、第１表示領域を構成する各画素に接続されている。第１表示領域では、第１ソースドライバ２３―１からの画像信号に基づいて各画素が色を表現することで、全体として画像が表示される。同様に、第２表示領域Ｈ２のソース・バスライン（「第２のソース・バスライン」とも称する）の全ては、第２ソースドライバ２３―２に接続されている。第２のソース・バスラインの各々は、第２表示領域を構成する各画素に接続されている。第２表示領域では、第２ソースドライバ２３―２からの画像信号に基づいて各画素が色を表現することで、全体として画像が表示される。
なお、第１ソースドライバ２３―１を第１の集積回路（マスター集積回路）、第２ソースドライバ２３―２を第２の集積回路（スレーブ集積回路）として説明する。
【００２９】
各ソースドライバ２３には、例えば、それぞれに対応付けられた表示領域の画像を表す画像信号が入力される。例えば、各画像信号は、ＭＩＰＩ（Ｍｏｂｉｌｅ  Ｉｎｄｕｓｔｒｙ  Ｐｒｏｃｅｓｓｏｒ  Ｉｎｔｅｒｆａｃｅ）（Ｄ−ＰＨＹ）方式により、外部から各ソースドライバへ伝送される。ここで、ＭＩＰＩ方式とは、不要輻射ノイズを抑制するため、プラス極性とマイナス極性の異なる信号極性の性質を有した２本の信号線を一組とする差動信号により、画像信号を伝送する方式の１つである。本実施形態においては、ＭＩＰＩ方式により、当該表示領域に対応付けられたソースドライバ２３へ画像信号を伝送する。
具体的には、第１ソースドライバ２３−１には、第１画像信号が入力される。第２ソースドライバ２３−２には、第２画像信号が入力される。つまり、第１ソースドライバ２３−１には、画面左半分（第１表示領域）の画像データ（Ｌｅｆｔデータ）に基づく第１画像信号が入力される。第２ソースドライバ２３−２には、画面右半分（第２表示領域）の画像データ（Ｒｉｇｈｔデータ）に基づく第２画像信号が入力される。
【００３０】
なお、各画像信号は、映像信号に基づいて、予め定めた規則に従って生成される。予め定めた規則とは、例えば、映像信号の１フレームの画像データについて、各表示領域に対応する画像データを、各画像信号とすることである。表示装置１の集積回路は、例えば、生成した画像データのうち、第１表示領域Ｈ１に対応する画像データを第１画像信号とし、第２表示領域Ｈに対応する画像データを第２画像信号とする。この集積回路は、第１画像信号を第１ソースドライバ２３−１へ出力し、第２画像信号を第２ソースドライバ２３−２へ出力する。この集積回路は、制御基板３に備えられても良いし、制御基板３とは異なる基板に備えられても良い。
【００３１】
第１ソースドライバ２３−１は、第１の画像解析回路を備え、第２ソースドライバ２３−２は、第２の画像解析回路を備える。各画像解析回路は、入力された画像信号に基づいて画像を解析し、画像解析パラメータを生成する。
画像解析パラメータは、例えば、ＰＷＭ（Ｐｕｌｓｅ  Ｗｉｄｔｈ  Ｍｏｄｕｌａｔｉｏｎ）信号、デューティ比情報、その他の情報の少なくとも１つである。
第２ソースドライバ２３−２（スレーブ集積回路）は、第２画像信号に基づく第２画像解析パラメータを、第１ソースドライバ２３―１（マスター集積回路）へ伝送する。
【００３２】
第１ソースドライバ２３―１は、第１画像信号に基づく第１画像解析パラメータと、第２ソースドライバ２３−２から伝送された第２画像解析パラメータに基づいて、各集積回路を制御する。
例えば、第１ソースドライバ２３―１は、第１画像解析パラメータと第２画像解析パラメータに基づいて、バックライトの出力（例えば、輝度又は光量に対応）のパラメータを決定し、決定したパラメータを示す調光信号（ＰＷＭ信号）をバックライト駆動部３２へ出力する。これにより、表示装置１（表示モジュールＭ１、第１ソースドライバ２３―１）は、複数のソースドライバ２３の画像解析パラメータに基づいて、統合的に、全画像に基づくパラメータを決定でき、全表示領域を制御できる。また、バックライト駆動部３２へ出力される調光信号は、各ソースドライバ２３の画像信号の解析結果を反映していることから、タイミングコントローラが無くても、ソースドライバ間で齟齬することなく、表示を制御できる。
また、第１ソースドライバ２３―１は、第１画像解析パラメータと第２画像解析パラメータに基づいて、第２ソースドライバ２３−２へ伝送するパラメータを生成する。例えば、このパラメータは、第２ソースドライバ２３−２（第２表示領域）での画像処理に用いられるパラメータ（表示用画像パラメータ）である。
【００３３】
第１ソースドライバ２３―１と第２ソースドライバ２３―２は、第１同期信号線２４―１、及び第２同期信号線２４―２によって接続される。なお、第１ソースドライバ２３―１と第２ソースドライバ２３―２は、１つの同期信号線（例えば、第１同期信号線２４―１）で接続されるものであっても良い。
第１ソースドライバ２３―１と第２ソースドライバ２３―２の間では、第１同期信号線２４―１又は第２同期信号線２４―２を介して、同期信号が伝送される。同期信号とは、例えば、集積回路間で同期を取るための信号である。例えば、同期信号は、画像表示のタイミング（ゲートやソース出力）の同期をとるための信号であり、Ｖｓｙｎｃ（Ｖｅｒｔｉｃａｌ Ｓｙｎｃｈｒｏｎｉｚｉｎｇ ｓｉｇｎａｌ）やＨｓｙｎｃ（Ｈｏｒｉｚｏｎｔａｌ Ｓｙｎｃｈｒｏｎｉｚｉｎｇ ｓｉｇｎａｌ）である。
【００３４】
第２ソースドライバ２３―２は、第１同期信号線２４―１を介して、第１ソースドライバ２３―１へ同期信号を送信する。ここで、第２ソースドライバ２３―２は、第２画像信号に基づいて生成した情報（例えば、画像解析パラメータ）を示すパラメータ信号、同期信号に多重し、第１同期信号線２４―１で伝送させる。
また、第１ソースドライバ２３―１は、第２同期信号線２４―２を介して、第２ソースドライバ２３―２へ同期信号を送信する。ここで、第１ソースドライバ２３―１は、複数の画像解析パラメータに基づいて生成したパラメータ（例えば、表示用画像パラメータ）示すパラメータ信号を、同期信号に多重し、第２同期信号線２４―２で伝送させる。
以上により、表示装置１（表示モジュールＭ１）は、配線の増加を抑えつつ、複数の表示領域を制御できる。つまり、表示装置１（表示モジュールＭ１）は、同期信号を利用して、各集積回路の情報を示す信号のやり取りをするため、専用信号線は不要となる。
【００３５】
＜ゲートドライバ＞
第１ゲートドライバ２１−１および第２ゲートドライバ２１−２は、ゲート・バスラインを順次選択し、画素内のスイッチング素子を開閉制御することによって、各ソース・バスラインに書き込まれた画像信号を、対応する画素に書き込み、各画素に書き込まれた画像信号を保持させる。
この場合、第１ゲートドライバ２１−１と第２ゲートドライバ２１−２とが、例えば画素アレイ領域の上から交互にゲート・バスラインを順次選択しても良い。
また、第１ゲートドライバ２１―１は、第１表示領域Ｈ１に対応付けられ、第１表示領域Ｈ１の表示制御を行い、第２ゲートドライバ２１―２は、第２表示領域Ｈ２に対応づけられ、第２表示領域Ｈ２の表示制御を行っても良い。
この場合、第１ゲートドライバ２１−１は対応付けられた表示領域Ｈ１の画像信号に基づいて生成した情報を、第２ゲートドライバ２１−２へ、同期信号線で伝送させても良い。あるいは、第２ゲートドライバ２１−２が、対応付けられた表示領域Ｈ２の画像信号に基づいて生成した情報を、第１ゲートドライバ２１−１へ同期信号線で伝送させても良い。
また、ゲートドライバの数は、３又はそれ以上であっても良い。
また、ゲートドライバは、表示パネルが備えるガラス上に実装されていても良い。この場合のゲートドライバの実装形態を、チップ・オン・ガラス（ＣＯＧ）と呼ぶこともある。  
【００３６】
＜バックライト駆動部＞
バックライト駆動部３２は、制御基板３に備えられ、第１ソースドライバ２３―１と接続されている。バックライト駆動部３２は、第１ソースドライバ２３―１から調光信号が入力される。また、バックライト駆動部３２は、調光信号に基づいて、バックライトモジュール１０２のバックライトの輝度（又は光量）を制御する。
具体的には、バックライト駆動部３２には、電源（図示せず）から駆動電圧が印加される。バックライト駆動部３２は、印加された駆動電圧を調光信号に応じて、デューティ制御することで、バックライトの輝度（又は光量）を制御する。
これにより、第１ソースドライバ２３―１は、調光信号によって、表示モジュールＭ１（画像アレイ２２：第１表示領域Ｈ１と第２表示領域Ｈ２）に表示する画像に応じたＣＡＢＣを行うことができる。
【００３７】
（同期信号とパラメータ信号の多重信号について）
図３は、本実施形態における同期信号およびパラメータ信号の一例を説明するタイムチャートである。このタイムチャートは、第１ソースドライバ２３―１と第２ソースドライバ２３―２間の信号線のうち、少なくとも１つの信号線で伝送される信号の波形を示す。図３（１）〜（３）において、横軸は時間軸であり、縦軸は電圧である。
【００３８】
図３（１）は、従来技術に係る同期信号を表す。図３（２）は、第１同期信号線２４―１で伝送される第１多重信号を表す。第１多重信号には、同期信号と画像解析パラメータが時間多重されている。図３（３）は、第２同期信号線２４―２で伝送される多重信号を表す。第２多重信号には、同期信号と表示用画像パラメータが時間多重されている。
【００３９】
図３（１）において、第１ソースドライバ２３―１と第２ソースドライバ２３―２の間で、２種類の同期信号（Ｖｓｙｎｃ、Ｈｓｙｎｃ）が伝送される。これら同期信号が送受信される周期は、表示期間と帰線期間とで構成される。表示期間に、第１ゲートドライバ２１−１、第２ゲートドライバ２１−２、第１ソースドライバ２３―１、および第２ソースドライバ２３―２による表示制御が行われる。
帰線期間（「帰線区間」とも呼ばれる）とは、画面上を走査した走査線が、元へ戻るための時間である。例えば、画面（表示パネル２）の水平方向に左から右へ表示した走査線が、再び左へ戻る時間（水平帰線期間）である。また例えば、画面（表示パネル２）の垂直方向に左上から左右に走査しながら右下隅まで表示した走査線が、再び左上に戻るまでの時間（垂直帰線期間）である。
【００４０】
図３（２）において、図３（１）の帰線期間には、画像解析パラメータが挿入されている。つまり、同期信号には、第２画像解析パラメータのパラメータ信号が時間多重されている。この画像解析パラメータは、第２ソースドライバ２３―２が第２画像信号に基づいて生成したパラメータである。
例えば、第２ソースドライバ２３―２は、帰線期間中においてＶｓｙｎｃおよびＨｓｙｎｃの送受信を停止する。第２ソースドライバ２３―２は、第２画像解析パラメータを、帰線期間中の時刻ｔ１からｔ２の間に第１同期信号線２４―１を用いて、第１ソースドライバ２３―１へ伝送する。
【００４１】
図３（３）において、図３（１）及び（２）の帰線期間には、表示用画像パラメータが挿入されている。つまり、同期信号には、表示用画像パラメータのパラメータ信号が時間多重されている。この表示用画像パラメータは、第１ソースドライバ２３―１が第１画像解析パラメータと第２画像解析パラメータに基づいて生成したパラメータである。
例えば、第１ソースドライバ２３―１は、帰線期間中においてＶｓｙｎｃおよびＨｓｙｎｃの送受信を停止する。第１ソースドライバ２３―１は、表示用画像パラメータを、帰線期間中の時刻ｔ３からｔ４の間に第２同期信号線２４―２を用いて、第１ソースドライバ２３―１へ伝送する。
なお、帰線期間中に、第２画像解析パラメータを伝送する期間と表示用画像パラメータを伝送する期間は、一部又は全部が重なっていても良い。
【００４２】
本実施形態において、時刻ｔ１からｔ２の間、また、時刻ｔ３からｔ４の間にパラメータを送受信する際は、「開始期間」で始まり、「終了期間」で終了する。本実施形態における開始区間および終了区間を識別するために、特定のビット列を用いてそれらを一意に定めても良い。あるいは、パルス幅変調を行い、固有のデューティ比を開始期間および終了期間それぞれに割り当てても良い。当該開始期間と終了期間に挟まれる期間において、第１ソースドライバ２３―１と第２ソースドライバ２３―２との間でパラメータが送受信される。例えば本実施形態では、ｎ種類の異なる画像パラメータが含まれるとする。
【００４３】
（第１実施形態のまとめ）
以上のように、本実施形態では、表示モジュールＭ１（表示装置１）は、１フレーム毎に画像データに基づいて表示制御を行う。第１ソースドライバ２３―１（第１駆動回路の一例）は、１フレームの画像データの一部（例えば、左半分）を示す第１画像信号に基づいて、第１表示領域Ｈ１での表示制御（第１の表示制御の一例）を行う。第２ソースドライバ２３―２（第２駆動回路の一例）は、１フレームの画像データの別の一部（例えば、右半分）を示す第２画像信号に基づいて、第２表示領域での表示制御（第２の表示制御の一例）を行う。同期信号線２４（第１同期信号線２４―１又は第２同期信号線２４―２：信号線の一例）は、第１ソースドライバ２３―１と第２ソースドライバ２３―２とに接続され、第１ソースドライバ２３―１と第２ソースドライバ２３―２の制御に関するタイミングを示す同期信号（第１信号の一例）を伝送する。第２ソースドライバは、第２画像信号に基づいて生成した第２画像解析パラメータを示すパラメータ信号（第２信号の一例）を、同期信号に多重して、同期信号線２４で伝送させる。
【００４４】
表示装置において、複数の集積回路の間では、同期するための同期信号が伝送される配線がある。表示モジュールＭ１は、この同期信号を伝送する配線に、画像信号に基づいて生成したパラメータ信号を多重するので、信号や配線を追加することなく、複数の表示領域を制御でき、良好な画像処理を行うことができる。これにより、表示モジュールＭ１は、基板や表示パネルのパターン設計が効率よくできるようになる。
【００４５】
また、第２ソースドライバ２３―２は、帰線期間（同期信号の間の一例）に、パラメータ信号を伝送させる。これにより、表示モジュールＭ１は、帰線期間を利用して、パラメータ信号を伝送できる。
なお、例えば、第１ソースドライバ２３―１（又は第２ソースドライバ２３―２）は、１フレームの画像データの一部の画像を描画する。つまり、第１ソースドライバ２３―１が制御する画素の数は、画面全体（１フレームの画素データが示す画像）の画素の数よりも少ない。この場合、例えば、表示モジュールＭ１は、同期信号で同期すべきタイミングを少なくできるので、帰線期間（パラメータ信号を伝送する期間）を増やしても良い。例えば、第１ソースドライバ２３―１は、左半分を描画するので、各水平走査において、全画面の場合の半分の時間で、走査することができる。第１ソースドライバ２３―１と第２ソースドライバ２３―２が交互に水平走査を行う場合、第１ソースドライバ２３―１は、第２ソースドライバ２３―２が水平走査する期間を、帰線期間とし、パラメータ信号を伝送することができる。
【００４６】
また、第１ソースドライバ２３―１は、第１表示領域Ｈ１についての第１画像信号に基づいて生成した第１画像解析パラメータと、パラメータ信号が示す情報であって第２表示領域Ｈ２についての第２画像信号に基づいて生成された第２画像解析パラメータに基づいて、調光信号や表示用画像パラメータを示すパラメータ信号（制御信号の一例）を生成する。つまり、第１ソースドライバ２３―１は、調光信号や表示用画像パラメータを示すパラメータ信号は、画像データの全体（画面の全体）に基づく表示を制御する。
なお、外部から画像信号をソースドライバ２３に伝送する方式はＭＩＰＩに限られるものではなく、例えばｅＤＰ（ｅｍｂｅｄｄｅｄ  Ｄｉｓｐｌａｙ  Ｐｏｒｔ）といった、差動信号により画像信号を伝送する方式でも良いし、例えば、各画像信号は、Ｐｏｉｎｔ・ｔｏ・Ｐｏｉｎｔ方式により、外部から各ソースドライバへ伝送されても良い。ここで、Ｐｏｉｎｔ・ｔｏ・Ｐｏｉｎｔ方式とは、ある表示領域に対応する画像信号のみを、当該表示領域に対応付けられたソースドライバ２３へ伝送する方式である。
【００４７】
［第２の実施形態］
次に、本発明の第２の実施形態について説明する。
第２の実施形態では、表示モジュールＭ１ａが多重信号（同期信号とパラメータ信号）を、第１同期信号線２４ａ―１を用いて伝送する場合について説明する。換言すれば、第１ソースドライバ２３ａ―１から第２ソースドライバ２３ａ―２へのパラメータ信号と、第２ソースドライバ２３ａ―２から第１ソースドライバ２３ａ―１へのパラメータ信号と、を多重し、同期信号の帰線期間に伝送する。
【００４８】
図４は、本発明の第２実施形態に係る表示装置１ａの構成を示す概略図である。本実施形態に係る表示装置１ａ（図４）と第１の実施形態に係る表示装置１（図２）とを比較すると、第１ソースドライバ２３ａ−１、及び第２ソースドライバ２３ａ−２が異なる。しかし、他の構成要素が持つ機能は第１の実施形態と同じである。第１の実施形態と同じ機能の説明は省略する。
第１ソースドライバ２３ａ−１は、第１ソースドライバ２３−１と比較して、表示用画像パラメータの伝送が異なるが、その他の機能は同じである。第１ソースドライバ２３ａ−１は、複数の画像解析パラメータに基づいて生成したパラメータ（例えば、表示用画像パラメータ）が示すパラメータ信号を多重し、第１同期信号線２４―１で伝送させる。
第２ソースドライバ２３ａ−２は、第２ソースドライバ２３−２と比較して、表示用画像パラメータの伝送が異なるが、その他の機能は同じである。第２ソースドライバ２３ａ−２は、第１同期信号線２４―１でパラメータ信号を受信し、このパラメータ信号が示すパラメータ（例えば、表示用画像パラメータ）に基づいて、第２表示領域Ｈ２の表示制御を行う。
【００４９】
図５は、本実施形態における同期信号およびパラメータ信号の一例を説明するタイムチャートである。このタイムチャートは、第１ソースドライバ２３ａ―１と第２ソースドライバ２３ａ―２間の第１同期信号線２４―１で伝送される信号の波形を示す。図５において、横軸は時間軸であり、縦軸は電圧である。
【００５０】
図５において、第１ソースドライバ２３ａ―１と第２ソースドライバ２３ａ―２の間で、２種類の同期信号（Ｖｓｙｎｃ、Ｈｓｙｎｃ）が伝送される。これら同期信号が送受信される周期は、表示期間と帰線期間とで構成される。表示期間に、第１ゲートドライバ２１−１、第２ゲートドライバ２１−２、第１ソースドライバ２３ａ―１、および第２ソースドライバ２３ａ―２による表示制御が行われる。
図５において、帰線期間には、画像解析パラメータと表示用画像パラメータが挿入されている。つまり、同期信号には、第２画像解析パラメータのパラメータ信号と表示用画像パラメータが時間多重されている。この第２画像解析パラメータは、第２ソースドライバ２３ａ―２が第２画像信号に基づいて生成したパラメータである。一方、表示用画像パラメータは、第１ソースドライバ２３ａ―１が、第１画像解析パラメータと第２画像解析パラメータに基づいて生成したパラメータである。
ここで、第２画像解析パラメータと表示用画像パラメータは、伝送方向が異なる。つまり、表示用画像パラメータは、第１ソースドライバ２３ａ―１から、第２ソースドライバ２３ａ―２へ伝送される。一方、表示用画像パラメータは、第２ソースドライバ２３ａ―２から、第１ソースドライバ２３ａ―１へ伝送される。同期信号は、第１ソースドライバ２３ａ―１から、第２ソースドライバ２３ａ―２へ伝送されるが、その逆方向に伝送されても良い。
【００５１】
例えば、第１ソースドライバ２３ａ―１は、帰線期間中においてＶｓｙｎｃおよびＨｓｙｎｃの送信を停止する。第２ソースドライバ２３ａ―２は、第２画像解析パラメータを、帰線期間の予め定めた期間（例えば、時刻ｔ５からｔ6の間）に送信する。一方、第１ソースドライバ２３ａ―１は、表示用画像パラメータを、帰線期間の予め定めた別の期間（例えば、時刻ｔ６からｔ７の間）に送信する。
【００５２】
（第２実施形態のまとめ）
以上のように、本実施形態において、表示モジュールＭ１（表示装置１）は、第１ソースドライバ２３―１と第２ソースドライバ２３―２の制御に関するタイミングを示す同期信号（第１信号の一例）と、第２画像信号に基づいて生成した第２画像解析パラメータを示すパラメータ信号と、第１画像解析パラメータと第２画像解析パラメータに基づいて生成した表示用画像パラメータ（第３信号の一例）と、を多重して、同期信号線２４―１で伝送させる。
【００５３】
本実施形態によれば、同期信号線２４−１上で、第２ソースドライバ２３−２が第１ソースドライバ２３−１に対して第２画像解析パラメータを送信する。また、同期信号線２４−１上で、第１ソースドライバ２３−１が第２ソースドライバ２３−２に対して同期信号および表示用画像パラメータを送信する。すなわち、第１の実施形態と異なり、同期信号、第２画像解析パラメータ、および表示用画像パラメータを１本の同期信号線で送受信するため、さらに少ない配線で、複数の表示領域を制御でき、良好な画像処理を行うことができる。これにより、表示モジュールＭ１は、基板や表示パネルのパターン設計をさらに効率よくできるようになる。
【００５４】
本実施形態において、制御基板３内のバックライト駆動部３２は、第１ソースドライバ２３―１が作成した前記表示用画像パラメータに基づいたデューティ比のＰＷＭ信号によって、バックライトモジュールＭ２のＣＡＢＣ等を行っても良い。あるいは、ＰＷＭ信号のデューティ比情報を送ることによって行っても良い。
【００５５】
本実施形態において、第１の実施形態同様、帰線期間の間に画像表示に係るパラメータの送受信を第１ソースドライバ２３−１と第２ソースドライバ２３−２の間で送受信する際に、１本の同期信号線のみを用いて実現するため、表示装置１にける基板や表示パネルのパターン設計をさらに効率よく行うことができるようになる。
【００５６】
図６は、本発明の第３実施形態に係る表示装置１ｂの構成を示す概略図である。第１実施形態及び第２実施形態と異なる点は、表示パネル２ｂが備える画素アレイ２２ａが自ら光を発すること、制御基板３ａがバックライト駆動部を有さないこと、表示装置１ｂがバックライトモジュールを有さないことである。
表示装置１ｂは表示モジュールＭ１ｂを備え、表示モジュールＭ１ｂは表示パネル２ｂと制御基板３ａとを備える。表示パネル２ｂは画素アレイ２２ａを備える。画素アレイ２２ａが備える画素は、自ら光を発する。表示パネル２ｂは第１ゲートドライバ２１−１、第２ゲートドライバ２１−２、第１ソースドライバ２３ｂ−１、第２ソースドライバ２３ｂ−２を備える。第１ソースドライバ２３ｂ−１と第２ソースドライバ２３ｂ−２とは、第１同期信号線２４ａ−１と２４ａ−２とによって接続される。第１ソースドライバ２３ｂ−１は、第１の実施形態と同様、第１画像信号に基づく第１画像解析パラメータと、第２ソースドライバ２３ｂ−２から伝送された第２画像解析パラメータに基づいて、画面表示制御を行う。
第１ソースドライバ２３ｂ−１と第２ソースドライバ２３ｂ−２との間で送受信される同期信号とパラメータ信号の多重方法は、第１の実施形態と同様である。
第１ソースドライバ２３ｂ―１は、第１画像解析パラメータと第２画像解析パラメータに基づいて、画素アレイ２２ａからの光の出力（例えば、輝度又は光量に対応）のパラメータを決定し、表示用画像パラメータに含めても良い。
また、本実施形態においては、表示パネル２ｂが第１同期信号線２４ａ−１及び第２同期信号線２４ａ−２を備えるが、第２実施形態のように同期信号線が１本の場合であっても、本実施形態の表示パネル２ｂを用いることができる。
【００５７】
図７は、本発明の第４実施形態に係る表示装置１ｃの構成を示す概略図である。図７に示すように、表示モジュールＭ１ｃが備える表示パネル２ｃにおいては、第１ゲートドライバ２１ａ−１が、表示パネル２ｂ内部であって、画素アレイ２２ｂの外側の領域に形成されている。第４実施形態のように、表示装置１ｃが備えるゲートドライバは、１つであっても良い。
本実施形態において、第１ゲートドライバ以外の他の構成要素が持つ機能は第１の実施形態と同じであるため、第１の実施形態と同じ機能の説明は省略する。
また、第２、第３の実施形態におけるゲートドライバが、本実施形態と同様に１つであっても良い（図示せず）。この場合、ゲートドライバ以外の他の構成要素が持つ機能は第２、第３の実施形態と同じであるため、第２、第３の実施形態と同じ機能の説明は省略する。
【００５８】
図８は、本発明の第５実施形態に係る表示装置１ｄの構成を示す概略図である。第４実施形態と異なり、本実施形態の表示モジュールＭ１ｄにおいては、第１ゲートドライバ２１ｂ−１はフィルム状の基板に実装されている。この場合、第１ゲートドライバ２１ｂ−１の実装形態を、チップ・オン・フィルム（Ｃｈｉｐ  ｏｎ  ｆｉｌｍ：ＣＯＦ）と呼ぶこともある。このようにして表示パネル２ｄに接続された第１ゲートドライバ２１ｂ−１が、画像信号の表示制御を行っても良い。
本実施形態において、第１ゲートドライバ以外の他の構成要素が持つ機能は第４の実施形態と同じであるため、第４の実施形態と同じ機能の説明は省略する。
また、第１、第２、第３の実施形態における第１ゲートドライバ及び第２ゲートドライバが、ＣＯＦの形態で実装されていても良い（図示せず）。この場合、第１ゲートドライバ及び第２ゲートドライバが行う画像制御の動作は第１、第２、第３実施形態に記載した通りである。
【００５９】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【符号の説明】
【００６０】
１、１ａ、１ｂ、１ｃ、１ｄ…表示装置、２、２ａ、２ｂ、２ｃ、２ｄ…表示パネル、２１−１、２１ａ−１、２１ｂ−１…第１ゲートドライバ、２１−２…第２ゲートドライバ…２２、２２ａ、２２ｂ…画素アレイ、２３−１、２３ａ−１、２３ｂ−１…第１ソースドライバ、２３−２、２３ａ−２、２３ｂ−２…第２ソースドライバ、２４−１、２４ａ−１…第１同期信号線、２４−２、２４ａ−２…第２同期信号線、３、３ａ…制御基板、３１…受信部、３２…バックライト駆動部、ｃ１…映像信号線、Ｈ１…第１表示領域、Ｈ２…第２表示領域、Ｍ１、Ｍ１ａ、Ｍ１ｂ、Ｍ１ｃ、Ｍ１ｄ…表示モジュール、Ｍ２…バックライトモジュール
【図１】
2019113672.tif 000003
【図２】
2019113672.tif 000004
【図３】
2019113672.tif 000005
【図４】
2019113672.tif 000006
【図５】
2019113672.tif 000007
【図６】
2019113672.tif 000008
【図７】
2019113672.tif 000009
【図８】
2019113672.tif 000010